(57)【要約】  本発明は、照明器具電源に接続された照明ユニットを備える照明器具のためのシステムに関する。コントローラが、センサユニットによって検知された環境パラメータに従って通信ユニット及び信号ユニットの動作を制御するために設けられ、センサユニットは、環境パラメータが所定の閾値を超える場合にイベント信号を生成し、信号ユニットは、警報を提供する。
2018516444.tif 000002
【特許請求の範囲】
【請求項１】
モジュール式照明器具であって、
前記照明器具が位置する場所に照明を提供するように構成された少なくとも１つの照明モジュールと、
非照明機能を提供するように構成された少なくとも１つの非照明モジュールと、
各照明モジュール及び各非照明モジュールを制御するための少なくとも１つのコントローラと、
取り付けられた前記少なくとも１つの照明モジュール及び前記少なくとも１つの非照明モジュールを支持するように構成された支持ポールと
を備え、
各照明モジュール及び非照明モジュールは、取り付けられ、且つ、隣接する照明モジュール、隣接する非照明モジュール、及び前記支持ポールのうちの少なくとも１つに接続された場合に、前記支持ポールの一部を形成し、
少なくとも１つの非照明モジュールは、前記照明器具の前記場所において環境パラメータを検知し、異常発生の検知に応答して少なくとも１つのイベント信号を生成するように動作可能な少なくとも１つのセンサユニットを備え、各イベント信号は、前記少なくとも１つのコントローラに送信される、モジュール式照明器具。
【請求項２】
検知された環境パラメータが所定の閾値より大きい場合に、異常発生の検知に応答して、各センサユニットは前記イベント信号を生成する、請求項１に記載のモジュール式照明器具。
【請求項３】
前記少なくとも１つのセンサユニットは、大気品質検出器、煙検出器、火災検出器、音響検出器、地震探知器、及び放射線検出器のうちの少なくとも１つを備える、請求項１又は２に記載のモジュール式照明器具。
【請求項４】
前記少なくとも１つの非照明モジュールは、検知された異常発生に従って前記少なくとも１つのコントローラからの少なくとも１つのイベント制御信号を受信し、少なくとも１つの警報を生成するように構成された信号ユニットを更に備える、請求項１〜３の何れか一項に記載のモジュール式照明器具。
【請求項５】
前記信号ユニットは、多色発光ダイオードリングを備え、その前記多色は、警報を生成するために、前記少なくとも１つのイベント制御信号に従って制御される、請求項４に記載のモジュール式照明器具。
【請求項６】
前記信号ユニットは、警報を生成するために前記少なくとも１つのイベント制御信号によって制御されるラウドスピーカを備える、請求項４又は５に記載のモジュール式照明器具。
【請求項７】
前記ラウドスピーカは、前記警報を生成するためにサイレンとして動作する、請求項６に記載のモジュール式照明器具。
【請求項８】
前記ラウドスピーカは、前記警報として音声メッセージを中継するように動作する、請求項６又は７に記載のモジュール式照明器具。
【請求項９】
前記音声メッセージは、事前録音されたメッセージ及びライブメッセージのうちの１つを含む、請求項８に記載のモジュール式照明器具。
【請求項１０】
前記信号ユニットは、前記異常発生に関連する情報を表示するディスプレイを備える、請求項４〜９の何れか一項に記載のモジュール式照明器具。
【請求項１１】
検知された異常発生に従って前記少なくとも１つのコントローラからの前記少なくとも１つのイベント制御信号は、点滅する光を提供するために、前記少なくとも１つの照明モジュールの動作を調整するように動作可能である、請求項４〜１０の何れか一項に記載のモジュール式照明器具。
【請求項１２】
前記少なくとも１つの非照明モジュールは、ローカルエリアネットワークに接続し、そこに信号を送信し、そこから信号を受信するように構成された少なくとも１つの通信ユニットを備える、請求項１〜１１の何れか一項に記載のモジュール式照明器具。
【請求項１３】
前記少なくとも１つの通信ユニットは、Ｂｌｕｅｔｏｏｔｈ（登録商標）プロトコル、Ｗｉ−Ｆｉ（登録商標）プロトコル、及びＺｉｇＢｅｅ（登録商標）プロトコルのうちの少なくとも１つを使用して動作する、請求項１２に記載のモジュール式照明器具。
【請求項１４】
少なくとも１つの通信ユニットは、インターネット接続にリンクするための手段を備える、請求項１２又は１３の記載のモジュール式照明器具。
【請求項１５】
前記通信ユニットは、前記少なくとも１つのセンサユニットによって生成されたイベント信号に応答して、前記インターネット接続を介して遠隔地にイベント制御信号を提供するように動作する、請求項１４の記載のモジュール式照明器具。
【請求項１６】
請求項１〜１５の何れか一項に記載の複数のモジュール式照明器具を含む、照明器具ネットワーク。
【請求項１７】
前記複数のモジュール式照明器具のうちの少なくとも１つが接続されるインターネット接続を更に含む、請求項１６に記載の照明器具ネットワーク。
【請求項１８】
前記複数のモジュール式照明器具が接続されるローカルエリアネットワークを更に含む、請求項１６又は１７に記載の照明器具ネットワーク。
【請求項１９】
前記ローカルエリアネットワークは、Ｂｌｕｅｔｏｏｔｈ（登録商標）プロトコル、Ｗｉ−Ｆｉ（登録商標）プロトコル、及びＺｉｇＢｅｅ（登録商標）プロトコルのうちの少なくとも１つを使用して動作する、請求項１８に記載の照明器具ネットワーク。
【請求項２０】
前記少なくとも１つのイベント信号は、少なくとも前記ローカルエリアネットワークを介して前記ネットワーク内の少なくとも他のモジュラー式照明器具のためにイベント制御信号を提供するように動作可能である、請求項１８又は１９に記載の照明器具ネットワーク。
【請求項２１】
前記少なくとも１つのイベント信号は、少なくとも前記インターネット接続を介して前記ネットワーク内の少なくとも他のモジュラー式照明器具のためにイベント制御信号を提供する、請求項１７〜２０の何れか一項に記載の照明器具ネットワーク。
【請求項２２】
前記少なくとも１つのイベント信号は、前記インターネット接続を介して遠隔地にイベント制御信号を提供する、請求項２１に記載の照明器具ネットワーク。
【発明の詳細な説明】
【技術分野】
【０００１】
本発明は、照明器具における改良又は照明器具に関連する改良に関するものであって、特に、照明器具のための追加の機能を提供することに関する。
【背景技術】
【０００２】
照明器具は、照明器具が配置されている領域に照明を提供することで周知である。このような照明器具は、少なくとも１つのモジュールが支持ポールに同軸に取り付けられ得るモジュール式照明器具アセンブリを効果的に備える。
【０００３】
特許文献１は、支持ポールに取り付けられた少なくとも１つの照明モジュールを備える照明器具を開示する。照明ポールは、光が軸線の周りで異なる方向に向けられるように、各照明モジュールが隣接する照明モジュールに対して回転可能である軸線を画定する。
【０００４】
特許文献１において説明される照明器具は、隣接する照明モジュールに対する照明モジュールの回転を可能にする一方で、照明器具の近傍に環境パラメータの指示のための、又は緊急事態の存在を信号で送るための規定はない。
【０００５】
特許文献２は、市のインフラストラクチャが、インフラストラクチャ要素が更新されると他のサービスへの移行を支持するように、１つの物理的要素に複数のサービスを集中させることができることを開示する。
【０００６】
このようなインフラストラクチャは柔軟性を提供する一方で、追加の機能は、物理的要素に別々に追加され、各モジュールがモジュール式照明器具構造を形成する他のモジュールとは独立して交換及び更新されることができるモジュール式照明器具構造に組み込まれない。
【先行技術文献】
【特許文献】
【０００７】
【特許文献１】欧州特許第１，６２３，１５４号明細書
【特許文献２】米国特許出願公開第２０１５／０００２３０５号明細書
【特許文献３】ベルギー国特許出願第２０１５／５２１７号明細書
【発明の概要】
【発明が解決しようとする課題】
【０００８】
本発明の目的は、環境パラメータを指示する付加的な機能を有するモジュール式照明器具を提供することであって、各モジュール式照明器具は、照明機能と非照明機能の両方を有するモジュールを有する。
【０００９】
本発明の別の目的は、環境パラメータを監視し、監視された環境パラメータが所定の閾値を超えた場合に警報又は警告を生成するためのシステムを提供することである。
【課題を解決するための手段】
【００１０】
本発明の１つの態様によれば、モジュール式照明器具であって、
照明器具が位置する場所に照明を提供するように構成された少なくとも１つの照明モジュールと、
非照明機能を提供するように構成された少なくとも１つの非照明モジュールと、
各照明モジュール及び各非照明モジュールを制御するための少なくとも１つのコントローラと、
取り付けられた少なくとも１つの照明モジュール及び少なくとも１つの非照明モジュールを支持するように構成された支持ポールと
を備え、
各照明モジュール及び非照明モジュールは、取り付けられ、且つ、隣接する照明モジュール、隣接する非照明モジュール、及び支持ポールのうちの少なくとも１つに接続された場合に、支持ポールの一部を形成し、
少なくとも１つの非照明モジュールは、照明器具の場所において環境パラメータを検知し、異常発生の検知に応答して少なくとも１つのイベント信号を生成するように動作可能な少なくとも１つのセンサユニットを備え、各イベント信号は、少なくとも１つのコントローラに送信される、
モジュール式照明器具が提供される。
【００１１】
非照明モジュールを複数のモジュールを含む照明器具に組み込むことによって、照明機能に加えた機能を提供することが可能である。これは、イベント信号が照明器具内の他の要素を制御するために使用されることができるという利点を有する。
【００１２】
更に、モジュール式照明器具は、必要な機能に応じて容易にアップグレードされることができるという利点を有する。特に、各モジュールは、照明器具の必要な機能に応じて置き換えられることができ、例えば、照明モジュールは、異なる照明モジュールで置き換えられることができ、非照明モジュールは、追加の照明モジュール又は異なる非照明モジュールで置き換えられることができる。
【００１３】
好ましくは、各センサユニットは、検知された環境パラメータが所定の閾値より大きい場合に、異常発生の検知に応答してイベント信号を生成する。
【００１４】
各センサユニットは、異なる環境パラメータを監視するために使用されてもよく、その結果として、それに応じて構成されてもよい。
【００１５】
一実施形態においては、少なくとも１つのセンサユニットは大気品質検出器を備える。別の実施形態においては、少なくとも１つのセンサユニットは煙検出器を備える。更なる実施形態においては、少なくとも１つのセンサユニットは、火災検出器を備える。また、少なくとも１つのセンサユニットは、音響検出器、地震検出器、及び／又は放射線検出器を備えてもよい。
【００１６】
２つ以上のセンサユニットが設けられてもよく、各センサユニットが異なるタイプの検出器であることは理解されよう。
【００１７】
有利には、少なくとも１つの非照明モジュールは、検知された異常発生に応じて少なくとも１つのコントローラから少なくとも１つのイベント制御信号を受信し、少なくとも１つの警報を生成するように構成された信号ユニットを更に備える。
【００１８】
一実施形態においては、信号ユニットは、多色発光ダイオードリングを備えてもよく、その多色は、警報を生成するために、少なくとも１つのイベント制御信号に従って制御される。
【００１９】
この実施形態において、多色発光ダイオードリングは、照明器具のモジュールを形成してもよい。このようにして、要素は、それらの機能に従って照明器具の異なるモジュール全体に分布させてもよい。
【００２０】
別の実施形態においては、信号ユニットは、警報を生成するために少なくとも１つのイベント制御信号によって制御されるラウドスピーカを備えてもよい。ラウドスピーカは、多色発光ダイオードリングに加えて、又はその代わりにしてもよい。
【００２１】
ラウドスピーカは、警報を生成するためにサイレンとして動作してもよい。加えて、又は代替的に、ラウドスピーカは、警報として音声メッセージを中継するように動作してもよい。音声メッセージは、事前録音されたメッセージを含んでもよく、又は代替的に、音声メッセージは、ライブメッセージを含んでもよい。
【００２２】
簡単な実施形態においては、信号ユニットは、異常発生に関連する情報を表示するディスプレイを備えてもよい。ディスプレイは、照明器具又は照明器具が取り付けられた支持ポールに取り付けられてもよい。
【００２３】
別の実施形態においては、検知された異常発生に従って少なくとも１つのコントローラからの少なくとも１つのイベント制御信号は、点滅する光を提供するために、少なくとも１つの照明モジュールの動作を調整するように動作可能であってもよい。この実施形態においては、点滅する光は、警報又は警告を提供し、点滅の周波数は、警報又は警告として明瞭に認識できるように調整されてもよい。
【００２４】
少なくとも１つの非照明モジュールは、ローカルエリアネットワークに接続し、そこに信号を送信し、そこから信号を受信するように構成された少なくとも１つの通信ユニットを備えてもよい。
【００２５】
通信ユニットは、Ｂｌｕｅｔｏｏｔｈ（登録商標）プロトコル、Ｗｉ−Ｆｉ（登録商標）プロトコル、及び／又はＺｉｇＢｅｅ（登録商標）プロトコルを使用して動作してもよい。
【００２６】
一実施形態において、通信ユニットは、インターネット接続にリンクするための手段を備える。
【００２７】
このような実施形態において、通信ユニットは、少なくとも１つのセンサユニットによって生成されたイベント信号に応答して、インターネット接続を介して遠隔地にイベント制御信号を提供するように動作してもよい。
【００２８】
本発明の別の態様によれば、上に説明されたように、複数のモジュール式照明器具を含む照明器具ネットワークが提供される。
【００２９】
照明器具ネットワークを提供することによって、ネットワーク内の全てのモジュール式（又は非モジュール式）照明器具が、異常発生の検知及び／又は信号伝達を実行するために必要とされないように、機能性が分割されることができる。
【００３０】
一実施形態においては、照明器具ネットワークは、複数のモジュール式照明器具のうちの少なくとも１つが接続されるインターネット接続を更に含む。
【００３１】
好ましくは、照明器具ネットワークは、複数のモジュール式照明器具が接続されるローカルエリアネットワークを含む。このようなローカルエリアネットワークは、Ｂｌｕｅｔｏｏｔｈ（登録商標）、Ｗｉ−Ｆｉ（登録商標）、又はＺｉｇＢｅｅ（登録商標）プロトコルを使用して動作してもよい。
【００３２】
一実施形態においては、少なくとも１つのイベント信号は、少なくともローカルエリアネットワークを介してネットワーク内の少なくとも他のモジュラー式照明器具のためにイベント制御信号を提供するように動作可能である。別の実施形態においては、少なくとも１つのイベント信号は、少なくともインターネット接続を介してネットワーク内の少なくとも他のモジュラー式照明器具のためにイベント制御信号を提供してもよい。更なる実施形態において、少なくとも１つのイベント信号は、インターネット接続を介して遠隔地にイベント制御信号を提供してもよい。
【００３３】
理想的には、照明器具ネットワークにおいて、モジュール式照明器具はローカルエリアネットワークを形成し、非照明機能が少なくとも１つのモジュール式照明器具に設けられてもよく、このような照明器具における少なくとも１つのセンサユニットから生成されたイベント信号は、ネットワークにおいて他の照明器具（モジュール式と非モジュール式の両方）を制御するために使用され、少なくとも１つのモジュール式照明器具はインターネットに接続されて、イベント信号は、他の場所に、例えば遠隔監視ステーションに送信されてもよい。
【００３４】
本発明をより理解するために、例として添付の図面を参照する。
【図面の簡単な説明】
【００３５】
【図１】本発明による照明器具アセンブリの側面図を示す。
【図２】図１に示される照明器具アセンブリの上部を形成するモジュールの斜視図を示す。
【図３】照明器具アセンブリ内の制御要素のブロック図を示す。
【図４】図１と同様であるが、本発明による異なるモジュール式照明器具アセンブリを示す。
【図５】図１と同様であるが、本発明による異なるモジュール式照明器具アセンブリを示す。
【発明を実施するための形態】
【００３６】
本発明は、特定の実施形態に関して、及び特定の図面を参照して説明されるが、本発明はそれに限定されない。説明される図面は概要に過ぎず、限定ではない。図面において、要素の幾つかのサイズは、説明の目的のために誇張されて縮尺通りに描かれていない場合がある。
【００３７】
本発明によれば、複数のモジュールを備える照明器具が説明され、照明器具は、典型的には屋外及び街路照明を提供するために配置された都市環境において環境パラメータを監視するために使用されることができる。このような照明器具は、以後、用語「モジュール式照明器具」と呼ばれる。好ましくは、複数のモジュール式照明器具は、ローカルエリアネットワーク（ＬＡＮ）に接続され、各モジュール式照明器具は、ＬＡＮ内の少なくとも他のモジュール式照明器具と通信することができる。各モジュール式照明器具はまた、インターネット又は「クラウド」接続を使用して遠隔地と通信してもよい。ＬＡＮは、モジュール式照明器具を有することのみに限定されず、他の非モジュール式照明器具もまた存在し、モジュール式照明器具と同じＬＡＮに接続されてもよいことは理解されよう。
【００３８】
このような環境パラメータは、大気又は緊急事態に関連し、そのために、そのような環境パラメータの監視によって決定される異常発生に従って警報が提供される必要がある。実際において、このような環境パラメータを監視し、環境内の異常発生の表示を提供する機能を有する複数のモジュール式照明器具を有することによって、このような発生の事象及び結果に応じて、短期間又は長期間の何れかにおいて、そのような異常発生に応答して必要な処置が行われるように、市当局に情報を提供する都市ダッシュボードを作成することが可能である。
【００３９】
加えて、本発明のモジュール式照明器具においては、異常又は緊急事態の発生を知らせる即時のメッセージを近傍内の人々に提供することが可能である。そのようなメッセージは、少なくとも１つの照明器具（又は照明器具が取り付けられている支持ポール）に取り付けられたディスプレイ又はスクリーン上に表示されてもよいし、スピーカーを介して放送されてもよい。メッセージの他の表現、例えば、着色された及び／又は点滅する光がまた、単独で、又は互いに組み合わせて動作するように提供されてもよい。また、近傍の人々を近所又は市のより安全な地域に誘導するために、信号伝達が使用されてもよい。
【００４０】
既に市中に戦略的に配置されている屋外照明器具を使用することによって、このような照明器具は、照明を提供することに加えて他の機能を提供するための理想的な候補になり得る。組み合わされた機能は、照明機能が非照明機能と組み合わされたモジュール式照明器具、例えば、以下でより詳細に説明されるような環境パラメータを検知するモジュール式照明器具で実施されてもよい。
【００４１】
モジュール式照明器具の提供は、モジュール式照明器具の全体的な機能を更新するためにモジュールが追加及び／又は交換されることができるので、将来の改良及び／又は機能のためのある程度の柔軟性を提供することは理解されよう。
【００４２】
本明細書で使用される用語「点滅する」は、その周波数及び／又はデューティサイクルに関係なく、照明器具の照明ユニットの通常動作の任意の中断を指す。点滅は、以下でより詳細に説明されるように、緊急又は警報信号として使用されることができる。
【００４３】
図１は、複数のモジュール１２０が取り付けられた支持ポール１１０を備える照明器具１００を示し、各モジュールはケーシングを備え、支持ポール１１０の一部を効果的に形成する。例示された実施形態においては、複数のモジュールは、モジュールコネクタ１６０、１７０によって相互に接続され、モジュールコネクタ１８０によって支持ポール１１０に接続される第１の照明モジュール１３０、第２の照明モジュール１４０、及び第３の照明モジュール１５０を備える。図示されるように、モジュールコネクタ１６０は、第１のモジュール１３０と第２のモジュール１４０とを接続し、モジュールコネクタ１７０は、第２のモジュール１４０と第３のモジュール１５０とを接続し、モジュールコネクタ１８０は、第３のモジュール１５０を支持ポール１１０に接続する。モジュールコネクタ１６０、１７０、１８０は、特許文献３で説明されるように、隣接する照明器具モジュールを共に、及び支持ポール１１０に接合する簡単な方法を提供するが、ここでは詳細に説明されない。
【００４４】
各照明器具モジュール１３０、１４０、１５０は、ケーブルが隣接するモジュールまで通過することができる（図示されない）通路を好ましくは備え、例えば、同軸ケーブルを照明器具モジュールの通路に通して専用の接続が各照明器具モジュールにためになされることができるのは、各照明モジュールのレベルでこのような接続を形成することは高価であって、そこでの信号の損失が生じる可能性があるからである。また、各照明器具モジュールは、（図示されない）モジュール間の電気的接続を提供するための１つ以上の電気コネクタを有してもよい。
【００４５】
モジュール１３０は、図２により詳細に示される。このモジュールは、最も軽いので、図１に示されるように、モジュール式照明器具アセンブリ１００の最上部のモジュールを形成する。モジュール１３０は、断面において実質的に円形状、以下でより詳細に説明されるように、本発明によるモジュールコネクタを使用して別のモジュールに接続可能な第１（又は頂側又は上側）の部分１３０、第２（又は底側又は下側）の部分１３０ｂ、及び第１の部分１３０ａと第２の部分１３０ｂとの間の第３（又は中央）の部分１３０ｃとを備える。第２の部分１３０ｂは、以下でより詳細に説明されるように、別のモジュールにおける対応するコネクタ部分に接続可能なコネクタ部分１３０ｄを含む。中央部分１３０ｃは、軽量透明ポリマー材料、例えばポリカーボネートで作られたケーシングを備えてもよく、透明ポリマーケーシングを透過することができる光を提供するための（図示されない）発光ダイオード（ＬＥＤ）アレイを含んでもよい。
【００４６】
他の実施形態においては、ケーシングが作られるポリマー材料は、不透明又は透明であってもよく、（また図示されない）非照明関連機能、例えば、Ｗｉ−Ｆｉ（登録商標）トランシーバモジュール、スピーカモジュール、１つ以上のカメラモジュール、ビデオ監視モジュール、等をまた含んでもよい。また、ケーシングが作られる材料は、ポリマー材料に限定されず、任意の他の適切な軽量で安価な材料を含んでもよい。
【００４７】
一実施形態においては、各照明器具モジュールは他の照明器具モジュールの外部輪郭と一致する外部輪郭を有して、照明器具モジュールは、互いに上側に組み立てられたとき、モジュール式照明器具のための実質的に一定の外部輪郭を画定する。
【００４８】
第１の部分１３０ａは、各モジュール式照明器具アセンブリの特定の用途に従って、アンテナ用の開口部１３５ａ、１３５ｂを含んでもよい。このようなアンテナは、上で説明されたように、支持ポール１１０及び他の照明器具モジュールに設けられた通路を通って延伸する同軸ケーブルに接続される。
【００４９】
上で説明されたように、第２の部分１３０ｂは、以下でより詳細に説明されるように、モジュール１４０に設けられた（図示されない）相補的コネクタ部分又はインターフェースと係合し、モジュールコネクタ１６０によって共に保持されるコネクタ部分又はインターフェース１３０ｄを含む。
【００５０】
モジュール１４０は、実質的に円形状の断面を有するが、ポリカーボネートのような透明ポリマー材料で作られた第１の部分１４０ａとアルミニウムのような金属材料で作られた第２の部分１４０ｂとに分割されるケーシングを備える。ケーシングにおいてこのような分割を設けることによって、光は、第１の部分１４０ａによって定められた角度によって画定された所定の方向に向けられることができる。この場合、モジュール１４０は、第１の部分１４０ａによる透過のための光を提供する（図示されない）ＬＥＤアレイを含んでもよい。上で言及されたように、透明ポリマー材料は、特定の特性を有することが意図される。
【００５１】
モジュール１４０と同様のモジュール、すなわち、透明部分又は不透明部分、及び硬い部分を有するモジュールはまた、照明機能と非照明機能との両方を備えてもよい。
【００５２】
非照明機能の場合、ケーシングが作られるポリマー材料は、不透明又は非透過であってもよい。また、ケーシングが作られる材料は、ポリマー材料に限定されず、任意の他の適切な軽量で安価な材料を含んでもよい。
【００５３】
図１（及び以下で説明される図４と図５）に示されるように、各照明器具のケーシングは、組み立てられたときに、他の照明器具モジュール、及び隣接する照明器具モジュールの間のモジュールコネクタのケーシングと実質的に一致する外部輪郭を有する。
【００５４】
（図示されない）コネクタ部分又はインターフェースが、第１（又は頂側又は上側）の端部１４０ｃ及び第２（又は底側又は下側）の端部１４０ｄに設けられる。相補的コネクタ部分又はインターフェースは、モジュールコネクタ１７０によって共に保持される。このようなモジュールコネクタはまた、モジュール式照明器具の実質的に均一な外部輪郭を形成するように、照明モジュールのケーシングと同じ外部輪郭を有する。
【００５５】
モジュール１５０は、１つ以上のＬＥＤアレイが設けられ得る、実質的に円形状の断面を有するケーシングを備えてもよい。このようなＬＥＤアレイは、１色のみのＬＥＤ素子を有する単一のアレイ、図３を参照して以下でより詳細に説明されるように、視覚効果を提供するために、又は信号伝達目的のために、１つ以上の所定のパターンで切り替えられることができる、１つより多い色、例えばＲＧＢ（赤／緑／青）のＬＥＤ素子を有する単一のアレイを備えてもよい。しかし、着色ＬＥＤ素子はＲＧＢに限定されず、適切に着色されたＬＥＤを提供すること、又は着色ＬＥＤ素子からの光を混合することの何れかによって、他の色が使用されてもよいことは容易に理解されよう。この場合において、ケーシングは、ＬＥＤ素子からの光を透過することができる透明又は半透明材料であるポリマー材料を含んでもよい。
【００５６】
モジュール１５０は、図１に示されるように、モジュールの下側端部（又は底側端部）に形成されたコネクタ部分又はインターフェース、及び支持ポール１１０の上側端部（又は頂側端部）に形成された相補的コネクタ部分又はインターフェースによって支持ポール１１０に取り付けられる。相補的コネクタ部分又はインターフェースは、モジュールコネクタ１８０によって共に保持される。
【００５７】
非照明機能を有するモジュールは、各モジュール式照明器具が実質的に同じ寸法を有するように、モジュール式照明器具の一部を形成する空のモジュールを単に含んでもよいことは容易に理解されよう。このような空のモジュールは、必要に応じて、照明機能を有する照明モジュール、非照明機能を有する非照明モジュール、及び、照明機能と非照明機能との両方の組み合わせを有するモジュールのうちの１つに置き換えられることができる。
【００５８】
３つの照明器具モジュールと３つのモジュールコネクタが図１に示されているが、任意の適切な数の照明器具モジュールが支持ポール上に取り付けられ、互いに接続され、対応する数のモジュールコネクタによって支持ポールに接続されてもよいことは容易に理解されよう。また、各モジュールコネクタ１６０、１７０、１８０は、交換可能であってもよく、共に接続される照明器具モジュールに関係なく同じであってもよい。
【００５９】
各照明器具モジュールは、支持ポール１１０上でその上に取り付けられた少なくとも照明器具モジュールのための支持を形成してもよいことに留意されたい。
【００６０】
本発明によれば、少なくとも１つの照明器具モジュールは、照明の提供と無関係である機能を有し、又は上で説明されたように、照明機能と非照明機能の組み合わせを有してもよい。このような機能一例が、図３を参照して以下で説明される。
【００６１】
図３は、追加の非照明機能を提供するための（図示されない）照明器具コントローラと完全に統合された、本発明によるシステム２００の一実施形態を示す。システム２００は、図１及び図２を参照して上で説明されたような照明器具モジュールのうちの１つに配置されてもよく、又は非照明機能に従って２つ以上の照明器具モジュールに分配されてもよい。
【００６２】
上で説明されたように、照明器具モジュール１３０は、街路又は建物を照明するために光源が設けられた照明機能を提供してもよく、照明器具モジュール１４０は、非照明機能、例えば、環境パラメータの検知又は検出を提供してもよく、照明器具モジュール１５０は、信号を送るために、例えば、照明器具モジュール１４０内の構成要素によって検知された異常発生に応答して、音声的及び／又は視覚警告を提供するために専用化されてもよい。
【００６３】
システム２００は、照明ユニット２１０、照明器具電源２２０、コントローラ２３０、センサユニット２４０、通信ユニット２５０、及び信号ユニット２６０を備える。
【００６４】
図３に示されるように、照明ユニット２１０は、照明器具電源２２０に接続され、そこから制御信号２１５を受信する。照明ユニット２１０及び関連する照明器具電源２２０は、上で説明されたように照明器具モジュール１３０に配置されてもよく、また慣習的な照明機能に従って動作してもよいことは容易に理解されよう。
【００６５】
照明器具電源２２０は、コントローラ２３０に接続され、そこから制御信号２２５を受信する。コントローラ２３０はまた、センサユニット２４０に接続され、そこからセンサユニット２４０によって検知されたイベントを示す信号２３５を受信する。センサユニット２４０はまた、通信ユニット２５０に接続され、それによって検知されたイベントを示す信号２４５を提供する。通信ユニット２５０は、コントローラ２３０及び信号ユニット２６０に接続され、コントローラ２３０から制御信号２５５を受信し、信号ユニット２６０のための制御信号２６５を提供する。
【００６６】
一実施形態においては、センサユニット２４０は、センサユニットと遠隔センサ装置のうちの１つ又は両方によって検知されたイベントを示す信号を提供するように、照明器具の外側に配置された遠隔センサ装置と連携して動作してもよい。
【００６７】
コントローラ２３０は、上で説明されたように、照明器具１００内の、例えば、モジュール１３０、１４０、１５０のうちの何れか１つの適切な場所に配置されてもよい。
【００６８】
別の実施形態においては、通信ユニット２５０及びコントローラ２３０は、単一のユニットで構成されてもよい。この場合においては、センサ信号２４５のみが必要であって、コントローラからの制御信号２５５は、これらの制御信号が実際には通信ユニット２５０内の内部信号であるために、もはや必要ではない。同様に、制御信号２２５が、通信ユニット２５０から照明器具電源２２０に（又はコントローラとして指定された通信ユニットの一部から）提供される。
【００６９】
更なる実施形態においては、コントローラ２３０は照明器具電源２２０と一体化されて、その制御のために通信ユニット２５０になされる適切な接続と、検知したイベントを示す信号を供給するセンサユニット２４０と共に単一のユニットを形成してもよい。
【００７０】
通信ユニット２５０は、好ましくは有線リンク又は無線リンクの何れかによって近傍の他のモジュール式照明器具に（そしてまた非モジュール式照明器具に）接続される。この場合において、通信ユニット２５０はまた、１つ以上のアンテナ２７０を含んでもよく、隣接するモジュール式照明器具にイベントを示す情報を送り、１つ以上の隣接するモジュール式照明器具からイベントを示す情報を受信するように動作する。アンテナ２７０はまた、遠隔制御及び監視のためにＬＡＮに又はインターネットに接続を提供してもよい。アンテナ２７０は、図２を参照して上で説明されたようにモジュール１３０の部分１３０ａに形成された開口部１３５ａ、１３５ｂに関連してもよい。
【００７１】
更に、各通信ユニット２５０は、それがセンサ情報に従って関連した照明器具の近傍における環境パラメータのステータスを示す制御ルーム又は監視ステーションのための信号を提供してもよい。このような信号は、必要に応じて緊急車両へ発送するために使用されてもよく、及び／又は、異常発生に従って照明器具の近傍の人々のために適切な装置を提供してライブメッセージが必要とされることを示すために使用されてもよい。
【００７２】
一実施形態においては、通信ユニット２５０は、無線プロトコル、例えば、Ｂｌｕｅｔｏｏｔｈ（登録商標）、Ｚｉｇｂｅｅ（登録商標）、Ｗｉ−Ｆｉ（登録商標）を使用してＬＡＮ内の隣接するモジュール式照明器具（又は他の非モジュール式照明器具）に接続される。（Ｂｌｕｅｔｏｏｔｈ（登録商標）は、Ｂｌｕｅｔｏｏｔｈ  Ｓｐｅｃｉａｌ  Ｉｎｔｅｒｅｓｔ  Ｇｒｏｕｐ（ＳＩＧ）の登録商標であって、短距離上のデータを交換するための無線技術スタンダードである。Ｚｉｇｂｅｅ（登録商標）は、Ｚｉｇｂｅｅ  Ａｌｌｉａｎｃｅの登録商標であって、ＩＥＥＥ８０２．１５．４スタンダードに基づく。Ｗｉ−Ｆｉ（又はＷｉＦｉ）（登録商標）は、ＩＥＥＥ８０２．１１スタンダードを使用する製品のブランド名である。）
【００７３】
通信ユニットは１つのプロトコルに限定されなくてもよく、上で説明されたプロトコルのうちの２つ以上を使用して動作するように構成されてもよいことは容易に理解されよう。更に、通信ユニットは、イベント信号が遠隔地に、例えば、遠隔監視ステーションに転送されることができるように、インターネット接続とリンクするように構成されてもよい。
【００７４】
センサユニット２４０は、システム２００が配置された（図示されていない）照明器具の近傍における発生を検知し、及び／又は検出するための（また図示されていない）複数のセンサ素子を備えてもよい。各センサ素子は、検知され、及び／又は検出される特定の環境パラメータに従って選択されてもよい。例えば、以下でより詳細に説明されるように、大気品質、煙の存在、有毒ガスの存在、火災の存在、異常な放射線レベル、等を検知し、適切な警報を提供するセンサ素子があってもよい。
【００７５】
大気品質センサ素子は、以下でより詳細に説明されるように、大気汚染レベルを検知し、検知された大気汚染レベルが所定の閾値レベルより大きいことを示す信号を提供するために使用されてもよい。同様に、煙検出器又は煙センサ素子は、所定の閾値を超えたことを示す信号を提供してもよい。大気品質センサ素子がまた煙検出器又は煙センサ素子の機能を実行してもよいことは容易に理解されよう。大気品質センサ素子はまた、有毒ガスの検出のために、例えば、化学薬品漏洩又は化学火災から動作可能であってもよい。代替的に、ハイリスクの領域において配置される照明器具には別の化学センサが設けられてもよい。
【００７６】
更に、異常発生、例えば銃声を検出し、コントローラ２３０による検出され又は検知された音の分析に基づいて、近傍において危険があることの信号を送る一方で、警察署において警報を発生する１つ以上の音響センサ素子があってもよい。
【００７７】
地震センサは、地震活動又は火山活動の影響を受けやすい領域の照明器具のためのシステム２００に組み込まれてもよい。このような地震センサは、所定の閾値を超えた場合に、差し迫った地震又は噴火を示す信号を生成してもよい。上で説明されたように、そのように生成された信号は、地震活動又は火山活動を示す警告をトリガするために使用され、それによって、そのような活動を早期に警告する。
【００７８】
放射線検出器、例えば、ガイガーカウンター、線量計、又は電離放射線の存在を検出することができる他の検出器が、原子炉の場所における照明器具のためのシステム２００に組み込まれてもよい。
【００７９】
本発明の一実施形態においては、センサユニット２４０は、インターネット接続を介して、局所的に、及び／又は遠隔地 、例えば警察署に、警報をトリガする、例えば、信号ユニット２６０に適切な信号を送る単純な「緊急」プッシュボタンを備えてもよい。信号はまた、異常発生又は緊急事態があることを示すこともできるように、ＬＡＮを介して近傍の他の照明器具に提供されてもよい。
【００８０】
信号ユニット２６０は、異常発生又はイベントが発生したときに、照明器具の近傍の人々に警報信号を提供するように動作する。信号ユニット２６０は、上で説明されたように照明器具モジュール１５０に配置されてもよく、作動されるときに、特定の異常イベントの発生を示すために１つ以上の周波数で点滅するように制御された単一色を表示してもよい多色ＬＥＤリングを備えてもよい。色及び点滅周波数の変化がまた使用されてもよく、例えば、ＬＥＤリングの色の変化が、上で説明されたように、大気品質センサ素子によって検知されるような大気品質レベルを示すために使用されてもよく、１つ以上の色の点滅が、緊急事態を示してもよい。
【００８１】
信号ユニット２６０はまた、通信ユニット２５０からの制御信号に応答して、サイレンとして動作し、又は音声メッセージを提供してもよいラウドスピーカを備えてもよい。音声メッセージは、事前録音され、又はライブメッセージであってもよい。
【００８２】
本発明によるシステムは、緊急事態又は警報の信号を送る１つのみの方法を有することに限定されず、例えば、音声メッセージと照明モジュールの点滅及び／又はＬＥＤリングの色の変化との組み合わせが使用されてもよいことは理解されよう。
【００８３】
図４及び図５は、モジュールが異なる順序で配置されるモジュール式照明器具の他の配置を示す。図４に、図１を参照して上で説明されたように、複数のモジュール４２０が取り付けられている支持ポール１１０を備えるモジュール式照明器具アセンブリ４００が示される。この実施形態においては、複数のモジュールは、図示されているように、共に接続され、それぞれのモジュールコネクタ１６０、１７０、１８０によって支持ポール１１０に接続された３つのモジュール４３０、４４０、４５０を備える。モジュール４３０及び４５０は、その機能が以前には説明されていないモジュールを備え、モジュール４４０は、図１に示されたモジュール１４０と同様である。
【００８４】
同様に、図５に、図１を参照して上で説明されたように、複数のモジュール５２０が取り付けられている、支持ポール１１０を備えるモジュール式照明器具アセンブリ５００が示される。この実施形態においては、複数のモジュールは、モジュールコネクタ、それぞれのモジュールコネクタ１６０、１８０によって、互いに、及び支持ポール１１０に接続された２つのモジュール５３０、５５０を備える。モジュール５３０及び５５０は、図１に示されるようなモジュール１３０及び１５０と同様である。
【００８５】
当然、照明器具モジュールの任意の他の適切なアセンブリが可能であって、本明細書で説明された特定の例に限定されない。
【図１】
2018516444.tif 000003
【図２】
2018516444.tif 000004
【図３】
2018516444.tif 000005
【図４】
2018516444.tif 000006
【図５】
2018516444.tif 000007
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
モジュール式照明器具（１００）であって、
前記照明器具（１００）が位置する場所に照明を提供するように構成された少なくとも１つの照明モジュール（１３０）と、
非照明機能を提供するように構成された少なくとも１つの非照明モジュール（１４０）と、
各照明モジュール（１３０）及び各非照明モジュール（１４０）を制御するための少なくとも１つのコントローラ（２３０）と、
取り付けられた前記少なくとも１つの照明モジュール（１３０）及び前記少なくとも１つの非照明モジュール（１４０）を支持するように構成された支持ポール（１１０）と
を備え、
各照明モジュール（１３０）及び非照明モジュール（１４０）は、取り付けられ、且つ、隣接する照明モジュール（１３０）、隣接する非照明モジュール（１４０）、及び前記支持ポール（１１０）のうちの少なくとも１つに接続された場合に、前記支持ポール（１１０）の一部を形成し、
少なくとも１つの非照明モジュール（１４０）は、前記照明器具（１００）の前記場所において環境パラメータを検知し、異常発生の検知に応答して少なくとも１つのイベント信号を生成するように動作可能な少なくとも１つのセンサユニット（２４０）を備え、各イベント信号は、前記少なくとも１つのコントローラ（２３０）に送信される、モジュール式照明器具（１００）。
【請求項２】
検知された環境パラメータが所定の閾値より大きい場合に、異常発生の検知に応答して、各センサユニット（２４０）は前記イベント信号を生成する、請求項１に記載のモジュール式照明器具（１００）。
【請求項３】
前記少なくとも１つのセンサユニット（２４０）は、大気品質検出器、煙検出器、火災検出器、音響検出器、地震探知器、及び放射線検出器のうちの少なくとも１つを備える、請求項１又は２に記載のモジュール式照明器具（１００）。
【請求項４】
前記少なくとも１つの非照明モジュール（１４０）は、検知された異常発生に従って前記少なくとも１つのコントローラ（２３０）からの少なくとも１つのイベント制御信号を受信し、少なくとも１つの警報を生成するように構成された信号ユニット（２６０）を更に備える、請求項１〜３の何れか一項に記載のモジュール式照明器具（１００）。
【請求項５】
前記信号ユニット（２６０）は、多色発光ダイオードリングを備え、その前記多色は、警報を生成するために、前記少なくとも１つのイベント制御信号に従って制御される、請求項４に記載のモジュール式照明器具（１００）。
【請求項６】
前記信号ユニット（２６０）は、警報を生成するために前記少なくとも１つのイベント制御信号によって制御されるラウドスピーカを備え、前記ラウドスピーカは、前記警報を生成するために、好ましくはサイレンとして動作する、請求項４又は５に記載のモジュール式照明器具（１００）。
【請求項７】
前記ラウドスピーカは、前記警報として音声メッセージを中継するように動作し、前記音声メッセージは、事前録音されたメッセージ及びライブメッセージのうちの１つを好ましくは含む、請求項６に記載のモジュール式照明器具（１００）。
【請求項８】
前記信号ユニット（２６０）は、前記異常発生に関連する情報を表示するディスプレイを備える、請求項４〜７の何れか一項に記載のモジュール式照明器具（１００）。
【請求項９】
検知された異常発生に従って前記少なくとも１つのコントローラ（２３０）からの前記少なくとも１つのイベント制御信号は、点滅する光を提供するために、前記少なくとも１つの照明モジュール（１３０）の動作を調整するように動作可能である、請求項４〜８の何れか一項に記載のモジュール式照明器具（１００）。
【請求項１０】
前記少なくとも１つの非照明モジュール（１４０）は、ローカルエリアネットワークに接続し、そこに信号を送信し、そこから信号を受信するように構成された少なくとも１つの通信ユニット（２５０）を備える、請求項１〜９の何れか一項に記載のモジュール式照明器具（１００）。
【請求項１１】
少なくとも１つの通信ユニット（２５０）は、インターネット接続にリンクするための手段を備える、請求項１０に記載のモジュール式照明器具（１００）。
【請求項１２】
前記通信ユニット（２５０）は、前記少なくとも１つのセンサユニット（２４０）によって生成されたイベント信号に応答して、前記インターネット接続を介して遠隔地にイベント制御信号を提供するように動作する、請求項１１に記載のモジュール式照明器具（１００）。
【請求項１３】
請求項１〜１２の何れか一項に記載の複数のモジュール式照明器具（１００）を含む照明器具ネットワークであって、前記複数のモジュール式照明器具（１００）のうちの少なくとも１つが接続されるインターネット接続を好ましくは含む、照明器具ネットワーク。
【請求項１４】
前記複数のモジュール式照明器具（１００）が接続されるローカルエリアネットワークを更に含む、請求項１３に記載の照明器具ネットワーク。
【請求項１５】
前記少なくとも１つのイベント信号は、少なくとも前記ローカルエリアネットワーク及び／又は少なくともインターネット接続を介して前記ネットワーク内の少なくとも他のモジュラー式照明器具のためにイベント制御信号を提供するように動作可能である、請求項１４に記載の照明器具ネットワーク。
【国際調査報告】
2018516444.tif 000008
2018516444.tif 000009